(57)【要約】【課題】  本考案は、ゴム手袋に着脱自在に係合される剥ぎ取り部材により、一般家庭で鮮魚の鱗を簡単にきれいに取ることができる鱗取り具を提供するものである。【解決手段】  本考案の鱗取り具は、指部分に面ファスナーＡを設けた防水性のゴム手袋１と、該ゴム手袋１の面ファスナーＡに着脱自在に係止される剥ぎ取り部材２とからなり、前記剥ぎ取り部材２の裏面には、前記ゴム手袋１の面ファスナーＡと係合する面ファスナーを有し、表面に魚の鱗に合わせた剥ぎ取り突起の形状を備えてなるものである。【選択図】  図１
0003105548.tif 000002
【実用新案登録請求の範囲】
【請求項１】
指部分に面ファスナーＡを設けた防水性のゴム手袋と、該ゴム手袋の面ファスナーＡに着脱自在に係止される剥ぎ取り部材とからなり、前記剥ぎ取り部材の裏面には、前記ゴム手袋の面ファスナーＡと係合する面ファスナーを有し、表面に魚の鱗に合わせた剥ぎ取り突起Ｂの形状を備えてなるものであることを特徴とする鱗取り具。
【考案の詳細な説明】
【技術分野】
【０００１】
本考案は、鮮魚の鱗を簡単にきれいに取ることができる鱗取り具に関する。
【背景技術】
【０００２】
従来、鮮魚の鱗（うろこ）は包丁の背を使って取っていたが、一般家庭で簡単に魚の鱗を取れるように大根オロシのような陶磁器製鱗剥ぎが古くから知られていた（特許文献１を参照）。
また、手袋により魚に直接触れることなく、鱗、水気等の飛散を防止しながら魚の鱗を取る魚の調理袋も考案されている（特許文献２を参照）。
【０００３】
【特許文献１】実公昭１３−３６８１号公報
【特許文献２】実開平２−１２２６４６号公報
【考案の開示】
【考案が解決しようとする課題】
【０００４】
本考案は、ゴム手袋に着脱自在に係合される剥ぎ取り部材により、一般家庭で鮮魚の鱗を簡単にきれいに取ることができる鱗取り具を提供するものである。
【課題を解決するための手段】
【０００５】
本考案の鱗取り具は、指部分に面ファスナーＡを設けた防水性のゴム手袋と、該ゴム手袋の面ファスナーＡに着脱自在に係止される剥ぎ取り部材とからなり、前記剥ぎ取り部材の裏面には、前記ゴム手袋の面ファスナーＡと係合する面ファスナーを有し、表面に魚の鱗に合わせた剥ぎ取り突起の形状を備えてなるものである。
【考案の効果】
【０００６】
本考案の鱗取り具によれば、ゴム手袋に着脱自在に係合される剥ぎ取り部材により、一般家庭で手を汚すことなく、鮮魚の鱗を簡単にきれいに取ることができる。
また、本考案の鱗取り具は、剥ぎ取り部材がゴム手袋に着脱自在に係合されるので、多種類の剥ぎ取り部材を備えることにより、多種類の魚の鱗に適用することができる。
さらに、本考案の鱗取り具は、ゴム手袋に剥ぎ取り部材が設けられているので、指先の感触で細部まで鱗取りを行うことができるし、かつ魚の鱗を指で撫でるようにして鱗を取るので、一般家庭でも鮮魚の鱗を簡単にきれいに取ることができる。
【考案を実施するための最良の形態】
【０００７】
以下、本考案の一実施例を図面に基づいて説明すると、
図１に示すように、本考案の鱗取り具は、指部分に面ファスナーＡを設けた防水性のゴム手袋１と、該ゴム手袋１の面ファスナーＡに着脱自在に係止される剥ぎ取り部材２とからなり、前記剥ぎ取り部材２の裏面には、前記ゴム手袋１の面ファスナーＡと係合する面ファスナー（図示せず）を有し、表面に魚の鱗に合わせた剥ぎ取り突起の形状を備えてなる。
図２に示すように、前記剥ぎ取り部材２の小突起状剥ぎ取り部品３は、金属製の板状体からなり、小指と中指と間の指の付け根幅４、小指の付け根から指先までの小指長さ５、小指と中指と間の指の指先幅６、中指の付け根から指先までの中指長さ７を備えた刃先形状をなし、中央全面に渡って十字状に切り起された多数突出形成された小突起８を設ける。
また、前記小突起状剥ぎ取り部品３の裏面には、前記ゴム手袋１に取り着けた面ファスナーＡと係合する面ファスナー（図示せず）を全面に固着する。
さらに、前記小指長さ５及び指先幅６側には、先端を上方に直角に折り曲げた突壁９を形成する。
なお、ゴム手袋の親指部分にも面ファスナーＡを設けて前記小突起状剥ぎ取り部品３と同様な剥ぎ取り部品を固着する。
【０００８】
次に、図３に示すように、前記剥ぎ取り部材２の鋸刃状剥ぎ取り部品１０は、金属製の板状体からなり、小指と中指と間の指の付け根幅４、小指の付け根から指先までの小指長さ５、小指と中指と間の指の指先幅６、中指の付け根から指先までの中指長さ７を備えた刃先形状をなし、中央全面に丸円孔１１の周縁に鋸刃状に切り起された多数突出形成された鋸刃突起１２を設ける。
また、前記鋸刃状剥ぎ取り部品１０の裏面には、前記ゴム手袋１に取り着けた面ファスナーＡと係合する面ファスナー（図示せず）を全面に固着する。
さらに、前記小指長さ５及び指先幅６側には、先端を上方に直角に折り曲げた突壁９を形成する。
【０００９】
さらに、図４に示すように、前記剥ぎ取り部材２のルーバ状剥ぎ取り部品１３は、金属製の板状体からなり、中指の付け根から指先までの中指長さ７、小指と中指と間の半径となる前記中指長さ７の両端を結ぶ円弧面１４を備えた半円状をなし、中央全面に指先方向に多数並行に長楕円孔１５を形成し、該長楕円孔１５の間の細長板１６を上方に曲げ起して掻き取り板１７を形成する。
また、前記ルーバ状剥ぎ取り部品１３の裏面には、前記ゴム手袋１に取り着けた面ファスナーＡと係合する面ファスナー（図示せず）を全面に固着する。
なお、面ファスナー（図示せず）は、全面に限らず、面ファスナー係合が外れないならば一部分に設けても良い。
【００１０】
次に、本考案の鱗取り具の作用について、以下に図面に基づいて説明する。
図１に示すゴム手袋１は、右利き用の右手側であるが、左利きの場合には左手側に形成することができる。
鮮魚の鱗取りをする場合には、一方には鱗取り具となる右手を、他方の左手には普通のゴム手袋を着ける。
そして、右利きの場合左手で鮮魚を押え、右手に着けた鱗取り具、すなわち剥ぎ取り部材２で鮮魚の鱗を撫でるようにして剥ぎ取る。
前記剥ぎ取り部材２は、図２〜図４に示すように何種類か用意しており、しかも面ファスナーＡに係合する面ファスナー（図示せず）が前記剥ぎ取り部材２の裏面に設けられているので、鮮魚の種類に合わせて前記剥ぎ取り部材２を交換することができる.
また、ゴム手袋１によって鱗を剥ぎ取るから、鱗の引っ掛かり具合が直接手に伝わり、鱗を綺麗に掻き取ることができるし、細かい部分の鱗についても簡単に掻き取ることができる。
さらに、人差し指は自由に使用することができるので、親指に設けた面ファスナーＡに前記剥ぎ取り部材２（親指用に小さく形成したもの）を取り付けた状態で、人差し指で鮮魚を支えながら親指で細かい部分の鱗を剥ぎ取ることができる。
【図面の簡単な説明】
【００１１】
【図１】本考案の鱗取り具のゴム手袋の正面図である。
【図２】本考案の鱗取り具の小突起状剥ぎ取り部品の斜視図である。
【図３】本考案の鱗取り具の鋸刃状剥ぎ取り部品の斜視図である。
【図４】本考案の鱗取り具のルーバ状剥ぎ取り部品の斜視図である。
【符号の説明】
【００１２】
１  ゴム手袋
２  剥ぎ取り部材
３  小突起状剥ぎ取り部品
４  付け根幅
５  小指長さ
６  指先幅
７  中指長さ
８  小突起
９  突壁
１０  鋸刃状剥ぎ取り部品
１１  丸円孔
１２  鋸刃突起
１３  ルーバ状剥ぎ取り部品
１４  円弧面
１５  長楕円孔
１６  細長板
１７  掻き取り板
【図１】
0003105548.tif 000003
【図２】
0003105548.tif 000004
【図３】
0003105548.tif 000005
【図４】
0003105548.tif 000006